(57)【要約】【課題】大きな振動や衝撃があっても保護キャップがヒュージブルリンクブロックから外れることがない保護キャップを提供する。【解決手段】ブスバーとブスバーに対して垂直の向きに固定されたヒューズユニットとから成るＬ字状ヒュージブルリンクＦＬを覆い、かつブスバー又はヒューズユニットの一部に係止するロック部材を備えた保護キャップ１０において、保護キャップ１０が、バッテリポスト上のブスバー部分を開閉可能に覆うバッテリポスト保護部１２２と、バッテリポスト保護部１２２に連接してブスバー部分以外のブスバーを覆うブスバー保護部１２１と、ブスバー保護部１２１に連接してヒューズユニットを覆うヒューズユニット保護部１１とから成り、ブスバー保護部１２１を内部に空洞のある筒に形成し、その空洞内にブスバーを貫通させた。【選択図】図１
2010161017.tif 000002
【特許請求の範囲】
【請求項１】
バッテリポストに一端で固定され他端でヒューズユニットに接続されるブスバーと、該ブスバーに対して垂直の向きに固定されたヒューズユニットと、から成るＬ字状ヒュージブルリンクブロックを覆い、かつ前記ブスバー又は前記ヒューズユニットの一部に係止するロック部材を備えた保護キャップにおいて、
前記保護キャップが、前記バッテリポスト上のブスバー部分を開閉可能に覆うバッテリポスト保護部と、前記バッテリポスト保護部に連接して前記ブスバー部分以外のブスバーを覆うブスバー保護部と、前記ブスバー保護部に連接してヒューズユニットを覆うヒューズユニット保護部とから成り、
前記ブスバー保護部を内部に空洞のある筒に形成し、前記筒の空洞内に前記ブスバーを貫通させるようにしたことを特徴とする筒状保護キャップ。
【請求項２】
前記ブスバー又は前記ヒューズユニットの一部に当接する当接部材を前記保護キャップ内部に立設したことを特徴とする請求項１記載の筒状保護キャップ。
【請求項３】
前記ヒューズユニット保護部が折り曲げ可能に前記ブスバー保護部に連接し、使用時には下方に折り曲げることで前記ヒューズユニットの側面部を覆うことを特徴とする請求項１又は２記載の筒状保護キャップ。
【発明の詳細な説明】
【技術分野】
【０００１】
本発明は、バッテリーと電気機器との間に接続されるヒューズを装着するためのヒュージブルリンクブロックの保護キャップに関するもので、特に振動時に外れることのない保護キャップに関する。
【背景技術】
【０００２】
ヒュージブルリンクブロックを覆って保護する従来公知の保護キャップとしては、例えば特許文献１記載のようなものが知られている。
【先行技術文献】
【特許文献】
【０００３】
【特許文献１】特開平９−１１５４１５号公報
【０００４】
以下に、特許文献１記載のヒュージブルリンクブロックの構成と欠点について図１２を用いて説明する。
〈特許文献１記載のヒュージブルリンクブロックの構成〉
図１２は特許文献１記載のヒュージブルリンクブロックを分解して示す斜視図である。図において、１００が従来公知のヒュージブルリンクブロックである。これは、保護キャップ２０とブロック本体３０とアウターカバー４０とブスバー５０とを備えて成るものであり、以下、保護キャップ２０、ブロック本体３０、アウターカバー４０、およびブスバー５０について簡単に説明する。
【０００５】
《保護キャップ２０》
保護キャップ２０は、ブロック本体３０に装着されたヒューズＦおよびブスバー５０を覆って、外部機器との接触から保護している。
保護キャップ２０には端部に支持軸部２２が形成されている。これは保護キャップ２０の外壁両側部から一体に突設された支持壁部間に円柱状軸として形成されている。
【０００６】
《ブロック本体３０》
ブロック本体３０は樹脂で下面が開放した箱状をなし、横断面視で２個の凹部を構成し、その凹部の底面同士が背中合わせになるように形成されている。その上部にヒューズＦが収納され、その際、ヒューズＦの下端の端子Ｆｔがブロック本体３０の内部にあるメスコネクタの一端に装着されることで電気的接続がなされる。メスコネクタの他端には電線Ｗの端子Ｗｔが接続されている。
ブロック本体３０の外壁面には、アウターカバー４０をブロック本体３０に嵌合して、端子固定部３３を閉じる位置までスライドした際に、アウターカバー４０と係合して、アウターカバー４０をその位置にロックするロックアーム３２が設けられている。
また、ブロック本体３０の上方の端部に斜め下方に向けて開口する軸受部３１が形成されている。
【０００７】
《アウターカバー４０》
アウターカバー４０は、ブロック本体３０の端子固定部３３を開閉するものであり、矩形筒状に形成され、ブロック本体３０の下側からブロック本体３０の外周に嵌合して、上に向けてスライドできるようになっている。
また、アウターカバー４０の上方の端部に斜め上方に向けて開口する軸受部４１が形成されている。
【０００８】
《ブスバー５０》
ブスバー５０は、その一端が接続補助具５１を介してバッテリＢのバッテリポストＢｔに接続され、他端がヒューズＦの端子Ｆｔと一方の電線Ｗの端子Ｗｔと共にブロック本体３０の内部へボルトＢとナットＮを用いて共締め固定されている。
【０００９】
《保護キャップ２０の回動機構》
保護キャップ２０に形成された支持軸部２２は、ブロック本体３０に形成された半軸受部３１とアウターカバー４０に形成された半軸受部４１とが当接することで形成される軸受部３１・４１内に回動自在に収容され、したがってまた、カバー２０が回動自在に連結される。
このように保護キャップ２０の支持軸部２２が軸受部３１・４１内に挿入された状態では、保護キャップ２０は支持軸部２２を中心に回動自在となっており、ブロック本体３０のヒューズＦ装着部及びバッテリポストＢｔへの接続部分を覆うことが出来るようになっている。
【発明の概要】
【発明が解決しようとする課題】
【００１０】
〈従来公知のヒュージブルリンクブロックの欠点〉
このように、従来のヒュージブルリンクブロック１００においては、保護キャップ２０の一端に設けた支持軸部２２は、支持軸部２２が挿入される開口を有して支持軸部２２を支持するブロック本体３０の半軸受部３１と、ブロック本体３０にスライド自在に支持されるアウターカバー４０の半軸受部４１とを当接してできる軸受部３１・４１に回動自在に収容されている。
また、ヒュージブルリンクブロック１００は、ブロック本体３０にロック３２を複数箇所（図で見えているのは１個だが、反対側にもある。）設置し、アウターカバー４０を下方向から上昇させてブロック本体３０を挿入することで、所定位置に達したときアウターカバー４０に形成されているロック溝にロック３２が係合して両者を固定していた。
そのため、バッテリＢにバッテリヒューズ搭載時、衝突や振動の衝撃により保護キャップのロックが外れる可能性があった。
保護キャップのロックが外れるとブロック本体とアウターカバーで形成される軸受部３１・４１が離脱して、保護キャップの軸受が外れ、そのため衝突や振動の衝撃などで保護キャップが大きく振動して、バッテリヒューズと保護キャップが外れてしまうという問題が発生した。
〈本発明の目的〉
したがって、本発明は、どんなに大きな衝突や振動の衝撃があっても、バッテリヒューズから外れることのない保護キャップを提供することを目的としている。
【課題を解決するための手段】
【００１１】
上記目的を達成するため、第１の発明は筒状保護キャップに係り、バッテリポストに一端で固定され他端でヒューズユニットに接続されるブスバーと、該ブスバーに対して垂直の向きに固定されたヒューズユニットと、から成るＬ字状ヒュージブルリンクブロックを覆い、かつ前記ブスバー又は前記ヒューズユニットの一部に係止するロック部材を備えた保護キャップにおいて、前記保護キャップが、前記バッテリポスト上のブスバー部分を開閉可能に覆うバッテリポスト保護部と、前記バッテリポスト保護部に連接して前記ブスバー部分以外のブスバーを覆うブスバー保護部と、前記ブスバー保護部に連接してヒューズユニットを覆うヒューズユニット保護部とから成り、前記ブスバー保護部を内部に空洞のある筒に形成し、前記筒の空洞内に前記ブスバーを貫通させるようにしたことを特徴としている。
【００１２】
また、第２の発明は第１の発明の筒状保護キャップにおいて、前記ブスバー又は前記ヒューズユニットの一部に当接する当接部材を前記保護キャップ内部に立設したことを特徴としている。
【００１３】
また、第３の発明は第１又は第２の発明の筒状保護キャップにおいて、前記ヒューズユニット保護部が折り曲げ可能に前記ブスバー保護部に連接し、使用時には下方に折り曲げることで前記ヒューズユニットの側面部を覆うことを特徴としている。
【発明の効果】
【００１４】
第１の発明によれば、衝突や振動の衝撃により例えロック部材の係止が外れたとしても、筒状のブスバー保護部がバッテリポストとＬ字状ヒュージブルリンクブロックの垂直部分との間に介在していて、Ｌ字状ヒュージブルリンクの先端からも後端からも抜け出ることができないため、ヒュージブルリンクブロックから外れないようになる。
【００１５】
また、第２の発明によれば、衝突や振動の衝撃があっても当接部材がブスバーやヒューズユニットの一部に当接しているので、ガタ防止となり、衝突や振動の衝撃によりロック部材の係止が外れにくくなる。
【００１６】
また、第３の発明によれば、ヒューズユニット保護部が折り曲げ可能にブスバー保護部に連接しているので、下方に折り曲げることで簡単かつ確実にＬ字状ヒュージブルリンクに対する防水性および絶縁性を保つようにできる。
【図面の簡単な説明】
【００１７】
【図１】Ｌ字状ヒュージブルリンクの本発明に係る保護キャップを示す斜視図で、（ａ）は斜め上から見た斜視図、（ｂ）は斜め下から見た斜視図である。
【図２】図１の本発明に係る保護キャップの底面図（ａ）、および図２（ａ）のＡ−Ａ矢視図（側面図）（ｂ）である。
【図３】図１の保護キャップを図の左側から見た斜視図である。
【図４】保護キャップ１０とＬ字状ヒュージブルリンクＦＬとの装着方向を説明する斜視図である。
【図５】保護キャップ１０がＬ字状ヒュージブルリンクＦＬに装着された状態を下から示した斜視図である。
【図６】Ｌ字状ヒュージブルリンクＦＬをバッテリポストに接続した状態の断面図である。
【図７】Ｌ字状ヒュージブルリンクＦＬをバッテリポストに接続した状態の側面図である。
【図８】保護キャップの装着が完了して使用可能状態となったヒュージブルリンクの後方からの斜視図である。
【図９】ガタ防止機構を備えた本発明に係る保護キャップの底面図（ａ）、および図２（ａ）のＡ−Ａ矢視図（側面図）（ｂ）である。
【図１０】Ｌ字状ヒュージブルリンクＦＬをバッテリポストに接続した状態の断面図である。
【図１１】ガタ防止機構を備えた保護キャップを図の左側から見た斜視図である。
【図１２】特許文献１記載のヒュージブルリンクを分解して示す斜視図である。
【発明を実施するための形態】
【００１８】
〈本発明の第１の実施形態〉
以下、Ｌ字状ヒュージブルリンクの本発明に係る保護キャップについて、まず本発明の第１の実施形態を図１−図８を用いて説明する。
【００１９】
〈保護キャップの説明〉
図１はＬ字状ヒュージブルリンクの本発明に係る保護キャップを示す斜視図で、（ａ）は斜め上から見た斜視図、（ｂ）は斜め下から見た斜視図である。
図２は図１の本発明に係る保護キャップの底面図（ａ）、および図２（ａ）のＡ−Ａ矢視図（側面図）（ｂ）である。
図３は図１の保護キャップを図の左側から見た斜視図である。
図１−図３において１０は本発明に係る保護キャップである。
この保護キャップ１０はヒューズユニット保護部１１と電源接続体保護部１２から成り、さらに電源接続体保護部１２はバッテリポスト上のブスバー部分を開閉可能に覆うバッテリポスト保護部１２２と、バッテリポスト保護部１２２に連接されるブスバー保護部１２１とから成る。以下、ヒューズユニット保護部１１とブスバー保護部１２１とバッテリポスト保護部１２２の順でこれらについて説明する。
【００２０】
〈ヒューズユニット保護部１１〉
ヒューズユニット保護部１１は、図１および図２に示すように、ヒンジｈ２を境として下方に曲折できるようになるヒューズユニット垂直部位保護板１１ａと、このヒューズユニット垂直部位保護板１１ａの幅方向両端に配設されるヒューズユニット保護側板１１ｓとから成る。ヒューズユニット保護側板１１ｓの水平方向長さは、水平状態のヒューズユニット垂直部位保護板１１ａの水平方向長さまでは必要なく、ヒューズユニット垂直部位保護板１１ａのヒンジｈ２近傍を外力から保護する程度の長さであればよい。ヒューズユニット垂直部位保護板１１ａがヒンジｈ２を境として下方に曲折すると、図３および図５のようにＬ字状ヒュージブルリンクＦＬの垂直部位（ヒューズエレメントの収納されている部位）を覆うようになり、ヒューズエレメント等を外部から保護する。すなわち、簡単かつ確実にＬ字状ヒュージブルリンクに対する防水性および絶縁性を保つようにできる。
【００２１】
〈ブスバー保護部１２１〉
ブスバー保護部１２１は、図１、図２、そして特に図３に示すように、ブスバー保護天板１２１ａ（図１）とこのブスバー保護天板１２１ａの両端から下方に延設されるブスバー保護側板１２１ｓと両ブスバー保護側板１２１ｓの下端部同士を連結するブスバー保護底板１２１ｂとから成るもので、幅方向に切った断面が口字状をしている。
ブスバー保護側板１２１ｓとヒューズユニット保護側板１１ｓとの連結部位は保護すべきヒュージブルリンクブロックの形状に合わせて拡開部位１２０ｓを設けて調整される。
この断面が口字状（筒）の内部に図５のようにＬ字状ヒュージブルリンクＦＬの水平部位を貫通させた状態でヒュージブルリンクＦＬの水平部先端をバッテリポストＢｔに接続・固定（この場合はもちろんバッテリポスト保護天板１２２ａを上方に回動させた状態で接続・固定が行われる）が行われる。
このことにより、筒の底板をなすブスバー保護底板１２１ｂがバッテリポストＢｔとＬ字状ヒュージブルリンクＦＬの垂直部位との間にあって前方（バッテリ側）にも後方（ヒュージブルリンクＦＬの垂直部位側）にも抜け出ることができないので、どのような大きな振動や衝撃があっても保護キャップがここから外れることはない。
【００２２】
〈バッテリポスト保護部１２２〉
バッテリポスト保護部１２２は、図１、図２、そして特に図３に示すように、バッテリポスト保護天板１２２ａとバッテリポスト保護天板１２２ａの両端から下方に延設されるバッテリポスト保護側板１２２ｓとから成るもので、幅方向に切った断面がコ字状をしている。
バッテリポスト保護側板１２２ｓと隣のブスバー保護側板１２１ｓとの境にスリットを入れてヒンジｈ１を形成して、バッテリポスト保護部１２２がヒンジｈ１を境にして上方に回動できるようになっている。
【００２３】
〈保護キャップ１０の装着のしかた〉
保護キャップ１０の装着のしかたについて図４−図８を用いて説明する。
図４は保護キャップ１０とＬ字状ヒュージブルリンクＦＬとの装着方向を説明する斜視図である。
図５は保護キャップ１０がＬ字状ヒュージブルリンクＦＬに装着された状態を下から示した斜視図である。
図６はＬ字状ヒュージブルリンクＦＬをバッテリポストに接続した状態の断面図である。
図７はＬ字状ヒュージブルリンクＦＬをバッテリポストに接続した状態の側面図である。
図８は保護キャップの装着が完了して使用可能状態となったヒュージブルリンクの後方からの斜視図である。
（１）まず、ヒューズユニット垂直部位保護板１１ａとバッテリポスト保護天板１２２ａを図４のように水平状態して、その保護キャップ１０にＬ字状ヒュージブルリンクＦＬの水平部位を接近させる。
（２）次に、保護キャップ１０の筒の中にＬ字状ヒュージブルリンクＦＬの水平部位が挿入され、その後、そのまま挿入を続けると保護キャップ１０内のロック部材（図示なし）がヒュージブルリンクＦＬの水平部位のロック部材に対応する係止部と係合して、挿入が止まり、図５のように保護キャップ１０がＬ字状ヒュージブルリンクＦＬに装着される。図５から,Ｌ字状ヒュージブルリンクＦＬがバッテリポストに接続される接続部ＦｊとＬ字状ヒュージブルリンクＦＬの垂直部位との間にブスバー保護底板１２１ｂが介在しているのが判る。
（３）更に、保護キャップ１０のバッテリポスト保護天板１２２ａを回動させて垂直状態に開いて、Ｌ字状ヒュージブルリンクＦＬの先端を大きく露出させ、Ｌ字状ヒュージブルリンクＦＬの先端の接続部Ｆｊ（図５）を接続補助具を介してバッテリポストＢｔに接続する。その後、再びバッテリポスト保護天板１２２ａを回動させて水平状態に戻すと、図６および図７のようになる。図６および図７において、ブスバー保護底板１２１ｂがバッテリポストＢｔとＬ字状ヒュージブルリンクＦＬの垂直部位との間に介在しているのが判る。
（４）そして、保護キャップ１０のヒューズユニット垂直部位保護板１１ａを下方に曲折して、Ｌ字状ヒュージブルリンクＦＬの側面のヒューズエレメントを保護することで、図８のように保護キャップ１０の装着が完了する。
【００２４】
〈本発明の特徴〉
保護キャップ１０にはブスバーの一部やヒューズユニットの一部に係止するようにロック部材を内部の適所に備えており、保護キャップ１０がヒューズユニット保護部１１と電源接続体保護部１２に装着された段階でそのロック部材がブスバーの一部やヒューズユニットの一部に係止して、振動や衝撃があっても外れないようになっている。しかしながら、予想を超えた加速の大きな衝撃が加わった場合にはロック部材が外れ、したがってまた、保護キャップがヒュージブルリンクから外れることも起こり得た。
しかしながら、本発明によれば、上記のようにブスバー保護部１２１を空洞のある筒（断面が口字状）に形成して、この筒の空洞内にＬ字状ヒュージブルリンクＦＬの水平部分を貫通させているので、予想を超えた加速の大きな振動や衝撃があっても保護キャップ１０がヒュージブルリンクＦＬから外れ落ちることがなくなる。
また、保護キャップのヒンジ部を下方に曲げることにより従来の機能である防水性も絶縁性も保たれる。
【００２５】
〈本発明の第２の実施形態〉
本発明の第２の実施形態は保護キャップのロック部材が係合を外れないようにするためのもので、保護キャップの内部にガタ防止機構を講じたものである。
図９はガタ防止機構を備えた本発明に係る保護キャップの底面図（ａ）、および図２（ａ）のＡ−Ａ矢視図（側面図）（ｂ）である。
図１０はＬ字状ヒュージブルリンクＦＬをバッテリポストに接続した状態の断面図である。
図１１はガタ防止機構を備えた保護キャップを図の左側から見た斜視図である。
【００２６】
〈第１当接部材による上下振動のガタ防止〉
図９−図１１において、ｇ１はブスバーの一部の頭に当接する第１当接部材で、バッテリポスト保護天板１２２ａの裏側から下方に向けて立設されている。
第１当接部材ｇ１の先端はヒュージブルリンクＦＬのブスバーの一部の頭に達する長さであって、保護キャップ１０をヒュージブルリンクＦＬに挿入する途中で障害とならない位置に設けられている。
この第１当接部材ｇ１は先端がブスバーの一部の頭に常時当接しているので、上下方向に振動や衝撃が生じてもガタつかなくなり、したがって保護キャップ１０のロック部材の係合が外れ難くなる。
【００２７】
〈第２当接部材による上下振動のガタ防止〉
図９−図１１において、ｇ２はブスバーの一部の頭に当接する第２当接部材で、ブスバー保護側板１２１ｓの両端内側から横方向に延設され（図１１）、ブスバーの低位にある一部の頭を横方向から押さえる構造となっている。
第２当接部材ｇ２も同じく保護キャップ１０をヒュージブルリンクＦＬに挿入する途中で障害とならない位置に設けられている。
この第２当接部材ｇ２は先端がブスバーの一部の頭に常時当接しているので、上下方向に振動や衝撃が生じてもガタつかなくなり、したがって保護キャップ１０のロック部材の係合が外れ難くなる。
【００２８】
〈第３当接部材による前後振動のガタ防止〉
図９および図１１において、ｇ３はブスバーの一部に前部又は後部に当接する第３当接部材で、ブスバー保護天板１２１ａの裏側から下方に向けて立設されている。第３当接部材ｇ３の先端はヒュージブルリンクＦＬのブスバーの一部の前部又は後部に達する長さであって、保護キャップ１０をヒュージブルリンクＦＬに挿入する途中で障害とならない位置に設けられている。
この第３当接部材ｇ３は先端がブスバーの一部の前部又は後部に常時当接しているので、水平の前後方向に振動や衝撃が生じてもガタつかなくなり、したがって保護キャップ１０のロック部材の係合が外れ難くなる。
【００２９】
以上のように、第２の実施形態によれば、保護キャップの内部に保護キャップとヒュージブルリンクＦＬとの接触する部位を形成しておくことにより両者間の間での振動発生を防止し、これによりロック部材が係合を外れないようにできる。したがって保護キャップがヒュージブルリンクから外れることも起きなくなる。
【符号の説明】
【００３０】
１０  本発明に係る保護キャップ
１１  ヒューズユニット保護部
１１ａヒューズユニット垂直部位保護板
１１ｓ  ヒューズユニット保護側板
１２  電源接続体保護部
１２０ｓ  拡開部位
１２１  ブスバー保護部
１２１ａ  ブスバー保護天板
１２１ｂ  ブスバー保護底板
１２１ｓ  ブスバー保護側板
１２２  バッテリポスト保護部
１２２ａ  バッテリポスト保護天板
１２２ｓ  バッテリポスト保護側板
ＦＬ  Ｌ字状ヒュージブルリンク
Ｂｔ  バッテリポスト
ｈ１、ｈ１  ヒンジ
ｇ１  第１当接部材
ｇ２  第２当接部材
ｇ３  第３当接部材
【図１】
2010161017.tif 000003
【図２】
2010161017.tif 000004
【図３】
2010161017.tif 000005
【図４】
2010161017.tif 000006
【図５】
2010161017.tif 000007
【図６】
2010161017.tif 000008
【図７】
2010161017.tif 000009
【図８】
2010161017.tif 000010
【図９】
2010161017.tif 000011
【図１０】
2010161017.tif 000012
【図１１】
2010161017.tif 000013
【図１２】
2010161017.tif 000014